(57)【要約】【課題】浴室の環境状態と給気調整手段との連動により、浴室の環境状態に応じた給気量を確保することにより、干した衣類を効率良く乾燥することができる浴室暖房乾燥システムを提供すること。【解決手段】浴室に設置された浴室暖房乾燥機と、浴室内への空気の流入を行うための給気口と、給気口に設けられた給気調整手段１００と、給気調整手段１００を作動制御するための制御手段１０８と、浴室の湿度を検知するための湿度センサ１１０と、を備えた浴室暖房乾燥システム。制御手段１００は、湿度センサ１１０の検知湿度に基づいて給気調整手段１００を作動制御し、これによって、給気口を通して浴室内へ流入する空気量が調整される。浴室の湿度に代えて、浴室の相対湿度又は浴室内外の湿度差に基づいて給気量を調整してもよい。【選択図】　　　図６
2004132668.tif 000002
【特許請求の範囲】
【請求項１】
浴室に設置された浴室暖房乾燥機と、浴室内への空気の流入を行うための給気口と、前記給気口に設けられた給気調整手段と、前記給気調整手段を作動制御するための制御手段と、浴室の環境状態を検知するための環境状態検知手段と、を備え、
前記制御手段は、前記環境状態検知手段により検知された環境状態に基づいて、前記給気口を通して前記浴室内へ流入する空気量が調整されるように、前記給気調整手段を作動制御することを特徴とする浴室暖房乾燥システム。
【請求項２】
前記環境状態検知手段は、前記浴室内の湿度を検知するための湿度検知手段から構成され、前記制御手段は、前記湿度検知手段により検知された検知湿度に基づいて、前記給気口を通して前記浴室内へ流入する空気量が調整されるように、前記給気調整手段を作動制御することを特徴とする請求項１記載の浴室暖房乾燥システム。
【請求項３】
前記環境検知手段は、前記浴室内の湿度を検知するための湿度検知手段と、前記浴室内の温度を検知するための温度検知手段とから構成され、前記制御手段は、前記湿度検出手段の検知湿度及び前記温度検知手段の検知温度に基づいて相対湿度を演算する相対湿度演算手段を含み、前記制御手段は、前記相対湿度演算手段により演算された相対湿度に基づいて、前記給気口を通して前記浴室内へ流入する空気量が調整されるように、前記給気調整手段を作動制御することを特徴とする請求項１記載の浴室暖房乾燥システム。
【請求項４】
前記環境検知手段は、前記浴室内の湿度を検知する第１湿度検知手段と、浴室外の湿度を検知するための第２湿度検知手段とから構成され、前記制御手段は、前記第１及び第２湿度検知手段の検知湿度に基づいて浴室内外の湿度差を演算するための湿度差演算手段を含み、前記制御手段は、前記湿度差演算手段により演算された湿度差に基づいて、前記給気口を通して前記浴室内に流入する空気量が調整されるように、前記給気調整手段を作動制御することを特徴とする請求項１記載の浴室暖房乾燥システム。
【請求項５】
前記給気口には、更に、前記給気口を通して前記浴室内へ流入する空気の流入方向を調整するための給気方向調整手段が設けられ、前記制御手段は、前記浴室の環境状態に基づいて前記給気方向調整手段を作動制御することを特徴とする請求項１〜４のいずれかに記載の浴室暖房乾燥システム。
【請求項６】
前記浴室暖房乾燥機は、浴室内の空気を外部に排出するための換気ファンを備え、前記制御手段は、前記浴室の環境状態に基づいて前記換気ファンを作動制御することを特徴とする請求項１〜５のいずれかに記載の浴室暖房乾燥システム。
【発明の詳細な説明】
【０００１】
【発明の属する技術分野】
本発明は、浴室暖房乾燥システム、特に、浴室に設置された浴室暖房乾燥機と、浴室内への空気の流入を行うための給気口と、この給気口に設けられた給気調整手段と、給気調整手段を作動制御するための制御手段とを備えた浴室暖房乾燥システムに関するものである。
【０００２】
【従来の技術】
近年、冬場の入浴時、暖房された居室と寒い浴室との温度差によるヒートショックを防止するために、浴室暖房乾燥機が広く普及している。この浴室暖房乾燥機は、入浴前に浴室を暖房する暖房機能、浴室のカビを防ぐ他、天候や時間帯を気にせず洗濯物を乾かすことができる乾燥機能、夏場の入浴をさわやかにする、扇風機代わりの涼風機能などを備えており、四季を通じて使用されている。
【０００３】
特に、浴室暖房乾燥機の乾燥機能を用いて浴室に干した衣類を乾燥させる場合においては、換気風量、循環風量及び温度の３つ要素のバランスが重要であるが、乾燥時間の短縮やランニングコストの低減のために、最も一般的な方法として、換気風量及び循環風量を制御する方法が用いられている（例えば、特許文献１参照）。
【０００４】
つまり、浴室暖房乾燥機の乾燥運転において、衣類からの水分蒸発を促進するには衣類に直接当てる温風量（循環風量）を大きくすると同時に、衣類周辺の空気の湿度を下げるようにし、このように浴室内の高湿度な空気を低湿度のフレッシュな外気と置換させて換気風量を上げることが効果的である。この場合、浴室の窓を開けて乾燥運転するとショートサーキットにより浴室内空気の置換は促進されないので、通常、浴室の窓は閉めて運転する。
【０００５】
【特許文献１】
特開２００２−８１８５９号公報
【０００６】
【発明が解決しようとする課題】
ところが、通常、浴室において外気を吸い込むことができるのは浴室扉などに設けられている給気口だけであり、近年主流である気密性の高いユニットバスでは、換気風量をあげても給気口を通して流入する空気量はさほど増大せず、十分な換気風量が確保できず、衣類の乾燥を効率良く行うことができない。
【０００７】
また、このような気密性の高いユニットバスでは、循環風量を上げても温風が届き難い浴室の奥などには高湿度の空気が滞留し、浴室暖房乾燥機の吹出し口に近い位置に干された衣類と吹出し口から離れた位置に干された衣類との乾燥速度が大幅に異なるといった乾燥ムラが生じ、衣類の干し位置の入れ替えや乾燥したものから取り入れるといった手間が生じる。
【０００８】
本発明の目的は、浴室の環境状態と給気調整手段との連動により、浴室の環境状態に応じた給気量を確保することにより、干した衣類を効率良く乾燥することができる浴室暖房乾燥システムを提供することである。
【０００９】
本発明の他の目的は、給気調整手段から供給される空気の流れ方向を浴室の環境状態に応じて変えることにより、干した衣類の乾燥を効率良く行うことができる浴室暖房乾燥システムを提供することである。
【００１０】
【課題を解決するための手段】
本発明の請求項１に記載の浴室暖房乾燥システムは、浴室に設置された浴室暖房乾燥機と、浴室内への空気の流入を行うための給気口と、前記給気口に設けられた給気調整手段と、前記給気調整手段を作動制御するための制御手段と、浴室の環境状態を検知するための環境状態検知手段と、を備え、
前記制御手段は、前記環境状態検知手段により検知された環境状態に基づいて、前記給気口を通して前記浴室内へ流入する空気量が調整されるように、前記給気調整手段を作動制御することを特徴とする。
【００１１】
この浴室暖房乾燥に従えば、浴室暖房乾燥機を乾燥運転させると、浴室内の空気が外部に排出され、この空気の換気に伴い給気口を通して浴室内に空気が流入する。給気口には給気調整手段が設けられ、この給気調整手段は、制御手段により浴室の環境転状態に応じて作動制御され、これにより、浴室内への空気の流入量が調整される。浴室の環境状態とは例えば湿度状態（絶対湿度、相対湿度）であり、例えば、浴室の湿度が高いと、制御手段は空気流入量が多くなるように空気調整手段を作動制御する。従って、気密性の高いユニットバスにおいても、給気調整により給気空気量を上げることができ、衣類の乾燥を効率良く行い、その乾燥時間を短縮することができる。
【００１２】
また、本発明の請求項２に記載の浴室暖房乾燥システムでは、前記環境状態検知手段は、前記浴室内の湿度を検知するための湿度検知手段から構成され、前記制御手段は、前記湿度検知手段により検知された検知湿度に基づいて、前記給気口を通して前記浴室内へ流入する空気量が調整されるように、前記給気調整手段を作動制御することを特徴とする。
【００１３】
この浴室暖房乾燥機に従えば、環境状態として浴室の湿度（絶対湿度）が検知され、湿度検知手段の検知湿度に基づいて給気調整手段が作動制御され、このように給気口を通して浴室に流入する空気量が調整されるので、乾燥運転時における空気給気量を最適に調整することができる。また、給気空気量の調整のパラメータとして浴室内湿度を用いるので、給気調整の制御が簡単且つ容易となる。この給気調整手段による空気流入量の調整は、浴室湿度に基づいて例えば連続的に又はステップ状に変化するように行うことができる。
【００１４】
また、本発明の請求項３に記載の浴室暖房乾燥システムでは、前記環境検知手段は、前記浴室内の湿度を検知するための湿度検知手段と、前記浴室内の温度を検知するための温度検知手段とから構成され、前記制御手段は、前記湿度検出手段の検知湿度及び前記温度検知手段の検知温度に基づいて相対湿度を演算する相対湿度演算手段を含み、前記制御手段は、前記相対湿度演算手段により演算された相対湿度に基づいて、前記給気口を通して前記浴室内へ流入する空気量が調整されるように、前記給気調整手段を作動制御することを特徴とする。
【００１５】
この浴室暖房乾燥機に従えば、環境状態として浴室の相対湿度状態が用いられ、この相対湿度は、温度検知手段の検知温度及び湿度検知手段の検知湿度に基づいて相対湿度演算手段により演算される。そして、演算した相対湿度に基づいて給気調整手段が作動制御され、このように給気口を通して浴室に流入する空気量が調整されるので、上述したと同様に、、乾燥運転時における空気給気量を最適に調整することができる。また、給気空気量の調整のパラメータとして浴室内の相対湿度を用いるので、給気調整の制御が簡単且つ容易となる。この給気調整手段による空気流入量の調整も、浴室の相対湿度に基づいて例えば連続的に又はステップ状に変化するように行うことができる。
【００１６】
また、本発明の請求項４に記載の浴室暖房乾燥システムでは、前記環境検知手段は、前記浴室内の湿度を検知する第１湿度検知手段と、浴室外の湿度を検知するための第２湿度検知手段とから構成され、前記制御手段は、前記第１及び第２湿度検知手段の検知湿度に基づいて浴室内外の湿度差を演算するための湿度差演算手段を含み、前記制御手段は、前記湿度差演算手段により演算された湿度差に基づいて、前記給気口を通して前記浴室内に流入する空気量が調整されるように、前記給気調整手段を作動制御することを特徴とする。
【００１７】
この浴室暖房乾燥機に従えば、環境状態として浴室内外の湿度差が用いられ、この湿度差は、第１湿度検知手段の検知湿度（浴室内湿度）及び第２湿度検知手段の検知湿度（浴室外湿度）に基づいて湿度差演算手段により演算される。そして、演算した浴室内外の湿度差に基づいて給気調整手段が作動制御され、このように給気口を通して浴室に流入する空気量が調整されるので、上述したと同様に、乾燥運転時における空気給気量を最適に調整することができる。また、給気空気量の調整のパラメータとして浴室内外の湿度差を用いるので、給気調整の制御が簡単且つ容易となる。この給気調整手段による空気流入量の調整も、この湿度差に基づいて例えば連続的に又はステップ状に変化するように行うことができる。尚、第２湿度検知手段は、例えば浴室の天井裏、脱衣室などに設けることができる。
【００１８】
また、本発明の請求項５に記載の浴室暖房乾燥システムでは、前記給気口には、更に、前記給気口を通して前記浴室内へ流入する空気の流入方向を調整するための給気方向調整手段が設けられ、前記制御手段は、前記浴室の環境状態に基づいて前記給気方向調整手段を作動制御することを特徴とする。
【００１９】
この浴室暖房乾燥システムに従えば、給気口に給気方向調整手段が設けられ、浴室の環境状態に基づいて、この給気方向調整手段により浴室内に流入する空気の流れ方向が調整される。例えば、浴室内の湿度が高い時には、衣類周りの高湿度な空気を速やかに排出できるよう給気の方向を衣類のある方向に、即ち上向きにし、例えば、湿度が下がってくると給気方向を下向きにし、このようにすることで、衣類周りの温度を下げないようにしながら、フレッシュな外気を浴室に供給することができる。また、浴室の床面にはいつまでも水分が残りやすいが、浴室内の湿度が下がるにつれて給気方向を下向きにすることで、床面にフレッシュな外気があたり、床面の乾燥を促進することができる。このように給気の方向を制御することにより、最適な給気方向調整ができる。この給気方向調整手段による制御は、浴室の環境状態（例えば、浴室の絶対湿度、浴室の相対湿度、浴室内外の湿度差）に応じて例えば連続的に又はステップ状に行うことができる。このような給気方向の制御は、給気調整手段による給気空気量の制御とともに行うことができる。
【００２０】
また、本発明の請求項６に記載の浴室暖房乾燥システムでは、前記浴室暖房乾燥機は、浴室内の空気を外部に排出するための換気ファンを備え、前記制御手段は、前記浴室の環境状態に基づいて前記換気ファンを作動制御することを特徴とする。
【００２１】
この浴室暖房乾燥システムに従えば、制御手段は浴室の環境状態に基づいて浴室暖房乾燥機の換気ファンを作動制御するので、給気調整手段の作動状態と関連させて換気ファンが作動制御され、給気口からの許容空気給気量に応じて換気ファンによる換気が行われ、浴室内への給気を効率よく行うことができる。この換気ファンの制御も、浴室の環境状態（例えば、浴室の絶対湿度、浴室の相対湿度、浴室内外の湿度差）に基づいて例えば連続的に又はステップ状に変化するように行うことができる。
【００２２】
【発明の実施の形態】
以下、添付図面を参照して、本発明に従う浴室暖房乾燥システムの実施形態について説明する。
第１の実施形態
まず、図１〜図８を参照して、第１の実施形態の浴室暖房乾燥システムについて説明する。図１は、第１の実施形態の浴室暖房乾燥システムを装備した浴室を示す簡略断面図であり、図２は、図１の浴室暖房乾燥システムにおける浴室暖房乾燥機を示す断面図であり、図３は、浴室の給気口に配設された給気ルーバの一部を示す斜視図であり、図４（ａ）及び（ｂ）は、図３の給気ルーバの動きを説明するための簡略断面図であり、図５は、図２の浴室暖房乾燥機を運転するためのリモコンを示す正面図であり、図６は、図１の浴室暖房乾燥システムの制御系を簡略的に示すブロック図であり、図７は、浴室内の湿度と給気ルーバの開度との関係を示す図であり、図８は、図１の浴室暖房乾燥システムの乾燥運転の流れを示すフローチャートである。
【００２３】
図１及び図２において、図示の浴室暖房乾燥システムは、例えばユニットバス２により形成される浴室４内を暖房、乾燥などするための浴室暖房乾燥機６と、この浴室４内に流入する空気量を調整するための給気調整手段８とを備えている。浴室暖房乾燥機６は装置ハウジング１０を備え、この装置ハウジング１０が浴室４の天井１２に取り付けられている。この実施形態では、浴室４の入口側に浴室開閉扉１４が開閉自在に設けられ、また浴室４の奥側（入口側と反対の側）に浴槽１６が配設され、浴室開閉扉１４を開放することによって、脱衣室１８から浴室４に入ることができる。
【００２４】
次に、主として図２を参照して浴室暖房乾燥機６について説明すると、図示の浴室暖房乾燥機６の装置ハウジング１０内には循環流路２０が設けられ、この循環流路２０に循環ファン２２が設けられている。循環ファン２２は循環流路２０に配設された羽根体２４と、この羽根体２４に駆動連結された循環ファンモータ２６とを備え、羽根体２４は循環ファンモータ２６の作用によって矢印で示す方向に回転駆動される。循環流路２０の一端側には吸入口２８が設けられ、その他端側には吹出口３０が設けられ、この吹出口３０には風向きを変えるためのルーバ３２が揺動自在に設けられている。この循環流路２０には、また、循環流路２０を流れる空気を加熱するための熱交換器３４が設けられている。熱交換器３４の流入側は温水供給管３６を介して熱源機３８（図１も参照）に接続され、その流出側は温水戻り管４０を介して熱源機３８に接続され、温水供給管３６には熱動弁４２が配設されている。
【００２５】
装置ハウジング１０には、更に、浴室４内の空気を外部に排出するための換気流路４４が設けられ、この換気流路４４が排気ダクト４６を介して大気に開放されている。換気流路４４には換気ファン４８が設けられ、換気ファン４８は、換気流路４４に設けられた羽根体５０と、羽根体５０に駆動連結された換気ファンモータ５２とを備え、羽根体５０は換気ファンモータ５２の作用によって回転駆動される。換気流路４４の一端側は吸入口２８に接続されている。
【００２６】
この浴室暖房乾燥機６は、図５に示すリモコン５６を操作することによって運転制御される。図５において、リモコン５６はリモコン本体５８を備え、このリモコン本体５８の正面の操作パネル６０に、運転スイッチ６２、停止スイッチ６４、設定スイッチ６６及び時間表示手段６８が設けられている。運転スイッチ６２は、乾燥運転スイッチ７０、暖房運転スイッチ７２、涼風運転スイッチ７４及び換気運転スイッチ７６から構成されている。乾燥運転スイッチ７０を操作すると、後述する乾燥運転（暖房運転と換気運転とを組み合わせた運転）が行われる。また、暖房運転スイッチ７２（又は涼風スイッチ７４、換気スイッチ７６）を操作すると、暖房運転（又は涼風運転、換気運転）が行われる。暖房運転においては、熱源機３８が作動して温水が温水供給管３６、熱交換器３４及び温水戻り管４０を通して循環するとともに、循環ファン２２が作動して浴室４内の空気が吸入口２８、循環流路２０及び吹出口３０を通して循環され、循環流路２０を流れる空気が熱交換器３４にて温水との間で熱交換され、温められた空気が吹出口３０から浴室４内に噴き出す。涼風運転においては、循環ファン２２及び換気ファン４８が作動され、浴室４内の空気が循環流路２０を通して循環されるとともに、この浴室４内の空気が換気流路４４及び排気ダクト４６を通して外部に排出される。また、換気運転においては、換気ファン４８が作動され、浴室４内の空気が換気流路４４及び排気ダクト４６を通して外部に排出される。尚、涼風運転及び換気運転においては、熱源機３８は作動せず、温水が温水供給管３６、熱交換器３４及び温水戻り管４０を通して循環されることはない。
【００２７】
運転停止スイッチ６４は浴室暖房乾燥機６の運転を停止するためのスイッチである。また、設定スイッチ６６は、アップスイッチ７８、ダウンスイッチ８０及び風向スイッチ８２から構成され、アップスイッチ７８を押圧することによって、運転時間が長くなるように設定することができ、ダウンスイッチ８０を押圧することによって、運転時間が短くなるように設定することができ、また風向スイッチを押圧することによって、吹出口３０から吹き出す空気流の風向を設定することができる。更に、時間表示手段６８は、通常時に現在時刻を表示するとともに、浴室暖房乾燥機６の運転時に残り運転時間を表示する。
【００２８】
次に、主として図３及び図４を参照して給気調整手段８について説明すると、図示の給気調整手段８は給気ルーバ８４から構成され、浴室開閉扉１４の下方に設けられた給気口８６に所定の範囲にわたって回動自在に設けられている。給気ルーバ８４は、図４（ａ）に示す大量給気角度位置と図４（ｂ）に示す小量給気角度位置との間を揺動自在であるルーバ本体８８を備え、このルーバ本体８８の両端部に設けられた軸部９０（図３において一方のみ示す）が給気口８６の開口部に回転自在に支持される。ルーバ本体８８は上案内壁９２及び下案内壁９４を有し、これら上下案内壁９２，９４の両端部に端壁９６（図３において一方のみ示す）が設けられ、一対の端壁９６間に間隔をおいてプレート９８が設けられている。ルーバ本体８８には、また、これを回動させるためのルーバモータ１００が設けられている。
【００２９】
この実施形態では、後に説明するように、ルーバ本体８８は、図４（ａ）に示す大量給気角度位置と、図４（ｂ）で示す小量給気角度位置と、上記大量給気角度位置と小量給気角度位置との間の中量給気角度位置とに、浴室の環状状態に応じて位置付けられるように構成されている。大量給気角度位置においては、ルーバ本体８８により給気口８６が大きく開放され、給気口８６を通して多量の空気の流入が許容され、小量給気角度位置においては、ルーバ本体８８により給気口８６の大部分が閉塞されて小さく開口し、給気口８６を通して少量の空気の流入が許容され、また中量給気角度位置においては、ルーバ本体８８は給気口８６を中程度に開放し、給気口８６を通しての中量の空気の流入が許容される。
【００３０】
この実施形態では、また、給気ルーバ８４は給気方向調整手段としても機能し、給気口８６を通して流入する空気の流入方向がこの給気ルーバ８４によって調整される。即ち、ルーバ本体８８が上記大量給気角度位置にあるときには、図４（ａ）に示すように、矢印１０２で示すように流入する空気は、ルーバ本体８８の上下案内壁９２，９４間を流れる間に、矢印１０４で示す上向きの流れとなり、上向きの流れとなって浴室４内に流入する。ルーバ本体８８が上記小量給気角度位置にあるときには、図４（ｂ）に示すように、矢印１０２で示すように流入する空気は、ルーバ本体８８の上下案内壁９２，９４間を流れる間に、矢印１０６で示す下向きの流れとなり、下向きの流れとなって浴室４内に流入する。また、ルーバ本体８８が上記中量給気角度位置にあるときには、図示していないが、給気口８６を通して流入する空気は、ルーバ本体８８の上下案内壁９２，９４間をストレートに流れて浴室４内に流入する。
【００３１】
この浴室暖房乾燥システムでは、浴室暖房乾燥機６及び給気調整手段８などを含むシステムを制御するための制御手段１０８が設けられ、この制御手段１０８は例えばマイクロコンピュータから構成される。図６をも参照して、この実施形態では、浴室４の湿度を検知するための湿度センサ１１０（湿度検知手段を構成する）及び浴室４の温度を検知するための温度センサ１１２（温度検知手段を構成する）が設けられ、これらセンサ１１０，１１２が浴室暖房乾燥機６の吸入口２８付近に設けられ、これらセンサ１１０，１１２からの検知信号は、通信線などの伝送ライン１１８（図１参照）を介して制御手段１０８に送給される。この制御手段１０８には通信手段１２０が接続され、また上述したリモコン５６には通信手段１２２が内蔵され、これら通信手段１２０，１２２を介して制御手段１０８とリモコン５６との間で各種信号の伝送が行われる。
【００３２】
図示の制御手段１０８は、作動制御手段１２４、回転数設定手段１２６及び給気開度設定手段１２８を含んでいる。作動制御手段１２４は換気ファンモータ５２、循環ファンモータ２６、ルーバモータ１００、熱源機３８及び熱動弁４２を作動制御し、回転数設定手段１２６は後述する如くして換気ファン２２の回転数を設定し、給気開度設定手段１２８は後述する如くして給気ルーバ８４の開度を設定する。
【００３３】
制御手段１０８は、更に、メモリ１３２を含んでいる。このメモリ１３２には、浴室４内の湿度と給気口８６の開度（即ち、給気ルーバ８４による開度）との関係が記憶されているとともに、この浴室４内の湿度と換気ファン４８の回転数との関係が記憶されている。この実施形態では、メモリ１３２には図７に示すようなマップが記憶され、浴室４内の湿度（湿度センサ１１０の検知湿度であって、所謂絶対湿度）が例えば７０％以上のときには、給気口８６の開度が「大」に、その湿度が例えば４０〜７０％のときには給気口８６の開度が「中」に、またその湿度が４０％以下のときには給気口８６の開度が「小」に設定されるに記憶され、給気開度設定手段１２８は、図７のマップを利用して浴室４の環境状態（この形態では、絶対湿度）に基づいて給気口８６の開度を設定する。また、このメモリ１３２には、浴室４内の湿度が７０％以上のときには換気ファン４８の回転数が「高回転」、例えば１６００ｒｐｍに、その湿度が例えば４０〜７０％のときには換気ファン４８の回転数が「中回転」、例えば１４００ｒｐｍに、またその湿度が例えば４０％以下のときには換気ファン４８の回転数が「低回転」、例えば１０００ｒｐｍに設定されるように記憶されており、回転数設定手段１２６は、この関係を利用して浴室４内の環境状態（この形態では絶対湿度）に基づいて換気ファン４８の回転数を設定する。
【００３４】
制御手段１０８に関連してタイマ１３４が設けられ、このタイマ１３４はリモコン５６により設定された時間を計時し、リモコン５６により設定された時間の間浴室暖房乾燥機６の運転（乾燥運転、暖房運転など）が行われる。
【００３５】
次に、主として図２、図４、図６及び図８を参照して、上述した浴室暖房乾燥機６の乾燥運転について説明する。洗濯した衣類などを浴室４内に干して乾かす場合、リモコン５６の乾燥スイッチ７０（図５参照）を押圧して浴室暖房乾燥機６を乾燥運転すればよい（ステップＳ１）。乾燥スイッチ７０を押圧すると、熱源機３８及び熱動弁４２が作動し（ステップＳ２）、熱源機３８からの温水が温水供給管３６、熱交換器３４及び温水戻り管４０を通して循環される。また、循環ファン２２が作動し、浴室４内の空気が循環流路２０を通して循環され、循環通路２０を流れる間に熱交換器３４における温水との熱交換でもって加熱され、温められた空気が吹出口３０から浴室４内に吹き出し、このようにして浴室４内が温められる。また、換気ファン４８が作動し（ステップＳ３）、浴室４内の空気が換気流路４４を通して外部に排出される。このように乾燥運転では、浴室４内を温めながら換気が行なわれ、このようにして浴室４内の乾燥、即ち干した衣類の乾燥が行われる。このように乾燥運転が始まると、タイマ１３４が作動される（ステップＳ４）。
【００３６】
乾燥運転が開始すると、湿度センサ１１０により浴室４内の湿度検知が行われ（ステップＳ５）、湿度センサ１１０からの検知湿度信号が制御手段１０８に送られ、この検知湿度に基づいて給気口８６の開度及び換気ファン４８の回転数の設定が行われる。即ち、湿度センサ１１０の検知湿度が７０％以上であるときには、ステップＳ６からステップＳ７に進み、給気開度設定手段１２８は給気開度を「大」に設定し、これによって浴室４に流れる風向きも「上向き」に設定され、作動制御手段１２４は給気ルーバ８４を図４（ａ）に示す大量給気角度位置に位置付ける。また、回転数設定手段１２６は換気ファン４８の回転数を「高回転」に設定し（ステップＳ８）、作動制御手段１２４は換気ファン２２を１６００ｒｐｍで回転する。従って、換気ファン２２による換気空気量が多く、これに伴って、給気口８６を通しての給気空気量も多くなり、浴室４内に新しい多量の空気が流入する。
【００３７】
また、湿度センサ１１０の検知湿度が４０〜７０％であるときには、ステップＳ６からステップＳ９を経てステップＳ１０に移り、給気開度設定手段１２８は給気開度を「中」に設定し、これによって浴室４に流れる風向きも「ストレート」に設定され、作動制御手段１２４は給気ルーバ８４を上記中量給気角度位置に位置付ける。また、回転数設定手段１２６は換気ファン４８の回転数を「中回転」に設定し（ステップＳ１１）、作動制御手段１２４は換気ファン２２を１４００ｒｐｍで回転する。従って、換気ファン２２による換気空気量が中程度となり、これに伴って、給気口８６を通しての給気空気量も中程度と少なくなる。
【００３８】
また、湿度センサ１１０の検知湿度が４０％以下であるときには、ステップＳ６からステップＳ９を経てステップＳ１２に移り、給気開度設定手段１２８は給気開度を「小」に設定し、これによって浴室４に流れる風向きも「下向き」に設定され、作動制御手段１２４は給気ルーバ８４を図４（ｂ）に小量給気角度位置に位置付ける。また、回転数設定手段１２６は換気ファン４８の回転数を「低回転」に設定し（ステップＳ１３）、作動制御手段１２４は換気ファン２２を１０００ｒｐｍで回転する。従って、換気ファン２２による換気空気量が少なくなり、これに伴って、給気口８６を通しての給気空気量も少なくなる。
【００３９】
このように、浴室４内の環境状態、この形態では絶対湿度に基づいて給気ルーバ８４がこのように位置付けられるので、干した衣類が濡れていて浴室４内の湿度が高いときには、給気口８６の開度が大きく、従って給気口８６を通して大量の空気の流入が許容されるとともに、その空気流は上向きに干した衣類に向けて流れ、衣類を効率良く短時間で乾燥させることができる。そして、衣類の乾燥が進んで浴室４内の湿度が下がってくると、給気口８６の開度が中程度になるとともに、空気の流れがストレートになり、浴室内４の湿度が更に下がると、給気口８６の開度が小さくなるとともに、空気の流れは下向けに浴室４の床面に向けて流れるようになり、衣類の乾燥が進んだときんは浴室４の床面をも乾燥させるようになる。
【００４０】
このようにして乾燥運転が設定時間（例えば１２０分程度に設定される）行われると、タイマ１３４がタイムアップし、ステップＳ１４からステップＳ１５に進み、浴室暖房乾燥機６の乾燥運転が終了する。かくすると、熱源機３８の作動が停止し（ステップＳ１６）、熱交換器３４を通しての温水の循環が終了する。また、換気ファン４８の作動が停止し（ステップＳ１７）、浴室４内の空気の換気が終了する。その後、ルーバ開度設定手段１２８は、給気口８６の開度を「小」に、空気の流れを「下向き」に設定し、給気ルーバ８４が小量給気角度位置に保持される。乾燥運転後に給気ルーバ８４を小量給気角度位置に保持することによって、浴室４内への空気の流れが許容され、またその流れは下向きに浴室４の床面に向けて流れるので、床面の濡れを効果的に乾燥させ、浴室４内を乾燥した状態に保つことができる。
【００４１】
第２の実施形態
次に、図９及び図１０を参照して、第２の実施形態の浴室暖房乾燥システムについて説明する。図９は、第２の浴室暖房乾燥システムの制御系の要部を簡略的に示すブロック図であり、図１０は、図９の浴室暖房乾燥システムの乾燥運転の流れを示すフローチャートである。尚、以下の実施形態において、第１の実施形態と実質上同一のものには同一の参照番号を付し、その説明を省略する。
【００４２】
この第２の実施形態では、浴室の環境状態として浴室４の相対湿度を利用し、この相対湿度に基づいて給気口８６の開度を設定し、また換気ファン４８の回転数を設定するように構成されている。図９において、制御手段１０８Ａは、相対湿度を演算するための相対湿度演算手段１４２を含み、この相対湿度演算手段１４２は、湿度センサ１１０（湿度検知手段を構成する）の検知湿度及び温度センサ１１２（温度検知手段を構成する）の検知温度に基づいて浴室４の相対湿度（検知温度における飽和水蒸気量に対する相対湿度）を演算する。
【００４３】
また、メモリ１３２には、浴室４の相対湿度と給気口８６の開度との関係が記憶されるとともに、この浴室４の相対湿度と換気ファン４８の回転数との関係が記憶される。この実施形態では、浴室４の相対湿度が例えば６０％以上のときには、給気口８６の開度が「大」に、風向きが「上向き」となるように、その相対湿度が例えば４０〜６０％のときには、給気口８６の開度が「中」に、風向きが「ストレート」となるように、またその相対湿度が例えば４０％以下のときには、給気口８６の開度が「小」に、風向きが「下向き」に設定されるように記憶され、給気開度設定手段１２８は、浴室４の相対湿度に基づいて給気口８６の開度及び風向きを設定する。また、このメモリ１３２には、浴室４の相対湿度と換気ファン４８の回転数との関係も記憶され、浴室４内の相対湿度が例えば６０％以上のときには換気ファン４８の回転数が「高回転」、例えば１６００ｒｐｍに、その相対湿度が例えば４０〜６０％のときには換気ファン４８の回転数が「中回転」、例えば１４００ｒｐｍに、またその相対湿度が例えば４０％以下のときには換気ファン４８の回転数が「低回転」、例えば１０００ｒｐｍに設定されるように記憶されており、回転数設定手段１２６は、この関係を利用して浴室４の相対湿度に基づいて換気ファン４８の回転数を設定する。第２の実施形態におけるその他の構成は、上述した第１の実施形態と実質上同一である。
【００４４】
次に、図１０をも参照して、第２の実施形態の浴室暖房乾燥システムの乾燥運転について説明する。乾燥運転をする場合、リモコンの乾燥スイッチ７０を押圧すればよい（ステップＳ２１）。かくすると、熱源機３８及び熱動弁４２が作動し（ステップＳ２２）、また循環ファン２２が作動し、浴室４内が温められる。また、換気ファン４８が作動し（ステップＳ２３）、浴室４内の空気が外部に排出される。このように浴室４内を温めながら換気が行なわれ、乾燥運転が始まると、タイマ１３４が作動される（ステップＳ２４）。
【００４５】
乾燥運転が開始すると、湿度センサ１１０により浴室４内の湿度検知が行われ（ステップＳ２５）、湿度センサ１１０からの検知湿度信号が制御手段１０８Ａに送られる。また、温度センサ１１２により浴室４内の温度検知が行われ（ステップＳ２６）、温度センサ１１２からの検知温度信号が制御手段１０８Ａに送られる。そして、相対湿度演算手段１４２は、湿度センサ１１０からの検知湿度及び温度センサ１１２からの検知温度に基づいて浴室４の相対湿度を演算し（ステップＳ２７）、この相対湿度に基づいて給気口８６の開度及び換気ファン４８の回転数の設定が行われる。
【００４６】
浴室４の相対湿度（相対湿度演算手段１４２により演算された相対湿度）が６０％以上であるときには、ステップＳ２８からステップＳ２９に進み、給気開度設定手段１２８は給気開度を「大」に設定し、これによって浴室４に流れる風向きも「上向き」に設定され、作動制御手段１２４は給気ルーバ８４を大量給気角度位置に位置付ける。また、回転数設定手段１２６は換気ファン４８の回転数を「高回転」に設定し（ステップＳ３０）、作動制御手段１２４は換気ファン２２を１６００ｒｐｍで回転する。
【００４７】
また、浴室４の相対湿度が４０〜６０％であるときには、ステップＳ２８からステップＳ３１を経てステップＳ３２に移り、給気開度設定手段１２８は給気開度を「中」に設定し、これによって浴室４に流れる風向きも「ストレート」に設定され、作動制御手段１２４は給気ルーバ８４を中量給気角度位置に位置付ける。また、回転数設定手段１２６は換気ファン４８の回転数を「中回転」に設定し（ステップＳ３３）、作動制御手段１２４は換気ファン２２を１４００ｒｐｍで回転する。
【００４８】
また、浴室４の相対湿度が４０％以下であるときには、ステップＳ２８からステップＳ３１を経てステップＳ３４に移り、給気開度設定手段１２８は給気開度を「小」に設定し、これによって浴室４に流れる風向きも「下向き」に設定され、作動制御手段１２４は給気ルーバ８４を小量給気角度位置に位置付ける。また、回転数設定手段１２６は換気ファン４８の回転数を「低回転」に設定し（ステップＳ３５）、作動制御手段１２４は換気ファン２２を１０００ｒｐｍで回転する。
【００４９】
このように、浴室４内の環境状態、この第２の実施形態では相対湿度に基づいて給気ルーバ８４がこのように位置付けられるので、第１の実施形態と同様に、干した衣類が濡れていて浴室４内の湿度が高いときには、給気口８６の開度が大きく、大量の空気の流入が許容されるとともに、その空気流は上向きに干した衣類に向けて流れる。そして、衣類の乾燥が進んで浴室４内の相対湿度が下がってくると、給気口８６の開度が中程度になるとともに、空気の流れがストレートになり、浴室内４の相対湿度が更に下がると、給気口８６の開度が小さくなるとともに、空気の流れは下向けに浴室４の床面に向けて流れるようになる。
【００５０】
このようにして乾燥運転が設定時間行われると、第１の実施形態と同様に、タイマ１３４がタイムアップし、ステップＳ３６からステップＳ３７に進み、浴室暖房乾燥機６の乾燥運転が終了し、熱源機３８の作動が停止し（ステップＳ３８）、また換気ファン４８の作動が停止する（ステップＳ３９）。その後、ルーバ開度設定手段１２８は、給気口８６の開度を「小」に、空気の流れを「下向き」に設定し、給気ルーバ８４が小量給気角度位置に保持される。
【００５１】
第３の実施形態
次に、図１１及び図１２を参照して、第３の実施形態の浴室暖房乾燥システムについて説明する。図１１は、第３の浴室暖房乾燥システムの制御系の要部を簡略的に示すブロック図であり、図１２は、図１１の浴室暖房乾燥システムの乾燥運転の流れを示すフローチャートである。
【００５２】
この第３の実施形態では、浴室の環境状態として浴室４内外の湿度差を利用し、この浴室内外湿度差に基づいて給気口８６の開度を設定し、また換気ファン４８の回転数を設定するように構成されている。図９において、制御手段１０８Ｂは、浴室４内外の湿度差を演算するための湿度差演算手段１４４を含んでいる。また、浴室暖房乾燥機６の吸入口２８付近には第１湿度センサ１１０（浴室４内の湿度を検知する第１湿度検知手段を構成する）が配設され、この第１湿度センサ１１０は浴室４内の湿度を検知する。浴室４の天井裏には第２湿度センサ１４６（浴室４外の湿度を検知する第２湿度検知手段を構成する）が配設される。第１及び第２湿度検知センサ１１０，１４６からの検知湿度信号が制御手段１０８Ｂに送られ、湿度差演算手段１４４はこれら検知湿度に基づいて浴室４内外の湿度差を演算する。尚、第２湿度センサ１４６は、脱衣室１８の天井裏、浴室開閉扉１４の脱衣室側などに設けるようにしてもよい。
【００５３】
また、メモリ１３２には、浴室４内外の湿度差と給気口８６の開度との関係が記憶されるとともに、この湿度差と換気ファン４８の回転数との関係が記憶される。この実施形態では、浴室４内外の湿度差が例えば２０％以上（一般に、浴室４内の湿度が浴室４外の湿度より高くなる）のときには、給気口８６の開度が「大」に、風向きが「上向き」となるように、その湿度差が例えば１０〜２０％のときには、給気口８６の開度が「中」に、風向きが「ストレート」となるように、またその湿度差が例えば１０％以下のときには、給気口８６の開度が「小」に、風向きが「下向き」に設定されるように記憶され、給気開度設定手段１２８は、浴室４内外の湿度差に基づいて給気口８６の開度及び風向きを設定する。また、このメモリ１３２には、浴室４内外の湿度差と換気ファン４８の回転数との関係も記憶され、浴室４内外の湿度差が例えば２０％以上のときには換気ファン４８の回転数が「高回転」に、その湿度差が例えば１０〜２０％のときには換気ファン４８の回転数が「中回転」に、またその湿度差が例えば１０％以下のときには換気ファン４８の回転数が「低回転」に設定されるように記憶されており、回転数設定手段１２６は、この関係を利用して浴室４内外の湿度差に基づいて換気ファン４８の回転数を設定する。第３の実施形態におけるその他の構成は、上述した第１の実施形態と実質上同一である。
【００５４】
次に、図１２をも参照して、第３の実施形態の浴室暖房乾燥システムの乾燥運転について説明する。乾燥運転をする場合、リモコンの乾燥スイッチ７０を押圧すればよく（ステップＳ４１）、かく押圧すると、熱源機３８及び熱動弁４２が作動し（ステップＳ４２）、また循環ファン２２が作動し、浴室４内が温められる。また、換気ファン４８が作動し（ステップＳ４３）、浴室４内の空気が外部に排出され、る。このように乾燥運転が始まると、タイマ１３４が作動する（ステップＳ４４）。
【００５５】
乾燥運転が開始すると、浴室４内外の湿度の検知が行われる（ステップＳ４５）。即ち、第１湿度センサ１１０は浴室４内の湿度を検知し、第２湿度センサ１４６は浴室４外の湿度を検知する。そして、湿度差演算手段１４６は、第１及び第２湿度センサ１１０，１４６からの検知湿度に基づいて浴室４内外の湿度差を演算し（ステップＳ４７）、この湿度差に基づいて給気口８６の開度及び換気ファン４８の回転数の設定が行われる。
【００５６】
浴室４内外の湿度差が２０％以上である（浴室４内の湿度が浴室４外の湿度よりも２０％以上高い）ときには、ステップＳ４８からステップＳ４９に進み、給気開度設定手段１２８は給気開度を「大」に設定し、これによって浴室４に流れる風向きも「上向き」に設定される。また、回転数設定手段１２６は換気ファン４８の回転数を「高回転」に設定する（ステップＳ５０）。
【００５７】
また、浴室４内外の湿度差が１０〜２０％であるときには、ステップＳ４８からステップＳ５１を経てステップＳ５２に移り、給気開度設定手段１２８は給気開度を「中」に設定し、これによって浴室４に流れる風向きも「ストレート」に設定され、また、回転数設定手段１２６は換気ファン４８の回転数を「中回転」に設定する（ステップＳ５３）。
【００５８】
また、浴室４内外の湿度差が１０％以下であるときには、ステップＳ４８からステップＳ５１を経てステップＳ５４に移り、給気開度設定手段１２８は給気開度を「小」に設定し、これによって浴室４に流れる風向きも「下向き」に設定され、また、回転数設定手段１２６は換気ファン４８の回転数を「低回転」に設定する（ステップＳ５５）。
【００５９】
この第３の実施形態においても、浴室４内の環境状態（浴室４内外の湿度差）に基づいて給気ルーバ８４がこのように位置付けられるので、第１の実施形態と同様の作用効果が達成され、浴室４内の干した洗濯物を効率よく短時間で乾燥させることができる。
【００６０】
このようにして乾燥運転が設定時間行われると、第１の実施形態と同様に、タイマ１３４がタイムアップし、ステップＳ５６からステップＳ５７に進み、浴室暖房乾燥機６の乾燥運転が終了し、熱源機３８の作動が停止し（ステップＳ５８）、また換気ファン４８の作動が停止する（ステップＳ５９）。その後、ルーバ開度設定手段１２８は、給気口８６の開度を「小」に、空気の流れを「下向き」に設定し、給気ルーバ８４が小量給気角度位置に保持される。
【００６１】
以上、本発明に従う浴室暖房乾燥システムの実施形態について説明したが、本発明はこれらの実施形態に限定されるものではなく、本発明の範囲を逸脱することなく種々の変形乃至修正が可能である。
【００６２】
例えば、上述した実施形態では、いずれも、浴室４の環境状態（浴室４の絶対湿度、浴室４の相対湿度、浴室４内外の湿度差）に基づいて給気口８６の開度をステップ状に３段階（大量給気角度位置、中量開度角度位置、小量給気角度位置）に調整可能に構成しているが、これに限定されることなく、この給気口８６の開度をステップ状に２段階に、又は４段階以上に、或いは連続的に調整可能に構成するようにしてもよく、更に、換気ファン４８の回転数の調整をこの給気口８６の開度調整と合わせるようにしてもよい。
【００６３】
また、例えば、上述した実施形態では、いずれも、浴室４の環境状態（浴室４の絶対湿度、浴室４の相対湿度、浴室４内外の湿度差）に基づいて給気口８６の開度及び換気ファン４８の回転数を調整可能に構成しているが、給気口８６の開度と換気ファン４８の回転数の調整を合わせて行う必要はなく、浴室４の環境状態に基づいて給気口８６の開度のみを調整するようにしてもよい。
【００６４】
また、例えば、上述した実施形態では、給気ルーバ８４を回動させて給気口８６の開度と空気の流れの向きを変えているが、このような構成に代えて、例えば図１３に示すように構成するようにしてもよい。図１３において、この変形形態の給気調整手段８Ａでは、給気ルーバ８４に代えてシャッタ部材１５２が設けられ、このシャッタ部材１５２がシャッタモータ１５４によって上下方向に移動され、かく移動することによって給気口８６の開度が調整される。即ち、シャッタモータ１５４を作動させてこのシャッタ部材１５２を実線で示す上昇位置（即ち、大量給気位置）に位置付けると、給気口８６が大きく開放されて給気口８６を通しての大量の空気の流入が許容され、またシャッタモータ１５４によってシャッタ部材１５２を二点鎖線で示す下降位置（即ち、小量給気位置）に位置付けると、給気口８６の開度が小さくなって小量の空気の流入が許容される。
【００６５】
このようなシャッタ部材１５２を用いた場合、給気口８６から流入する空気の流入量を調整することができ、従って、このシャッタ部材１５２は空気調整手段として機能するが、給気口８６から流入する空気の流れの向きを変えることはできず、給気方向調整手段としては機能しない。
【００６６】
【発明の効果】
本発明の請求項１の浴室暖房乾燥システムによれば、給気口に給気調整手段が設けられ、この給気調整手段は、制御手段により浴室の環境転状態に応じて作動制御されるので、この環境状態に応じて浴室内への空気の流入量を調整することができる。これにより、気密性の高いユニットバスにおいても、給気空気量を上げることができ、衣類の乾燥を効率良く行い、その乾燥時間を短縮することができる。
【００６７】
また、本発明の請求項２に記載の浴室暖房乾燥システムによれば、環境状態として浴室の湿度（絶対湿度）が検知され、湿度検知手段の検知湿度に基づいて給気調整手段が作動制御されるので、浴室の湿度に応じて浴室に流入する空気量を調整することができる。
【００６８】
また、本発明の請求項３に記載の浴室暖房乾燥システムによれば、環境状態として浴室の相対湿度状態が用いられ、この相対湿度に基づいて給気調整手段が作動制御されるので、浴室の相対湿度に応じて浴室に流入する空気量を調整することができる。
【００６９】
また、本発明の請求項４に記載の浴室暖房乾燥システムによれば、環境状態として浴室内外の湿度差が用いられ、浴室内外の湿度差に基づいて給気調整手段が作動制御されるので、浴室内外の湿度差に応じて浴室に流入する空気量を調整することができる。
【００７０】
また、本発明の請求項５に記載の浴室暖房乾燥システムによれば、給気口に給気方向調整手段が設けられ、浴室の環境状態に基づいてこの給気方向調整手段が作動制御されるので、浴室の環境状態に応じて、浴室内に流入する空気の流れ方向を調整することができる。
【００７１】
また、本発明の請求項６に記載の浴室暖房乾燥システムでは、制御手段は浴室の環境状態に基づいて浴室暖房乾燥機の換気ファンを作動制御するので、給気調整手段の作動状態と関連させて換気ファンが作動制御され、浴室内への給気を効率よく行うことができる。
【図面の簡単な説明】
【図１】本発明に従う浴室暖房乾燥システムの第１の実施形態を装備した浴室を示す簡略断面図である
【図２】図１の浴室暖房乾燥システムにおける浴室暖房乾燥機を示す断面図である。
【図３】浴室の給気口に配設された給気ルーバの一部を示す斜視図である。。
【図４】図４（ａ）及び（ｂ）は、それぞれ、図３の給気ルーバの動きを説明するための簡略断面図である。
【図５】図２の浴室暖房乾燥機を運転するためのリモコンを示す正面図である。
【図６】図１の浴室暖房乾燥システムの制御系を簡略的に示すブロック図である。
【図７】浴室内の湿度と給気ルーバの開度との関係を示す図である。
【図８】図１の浴室暖房乾燥システムの乾燥運転の流れを示すフローチャートである。
【図９】本発明に従う浴室暖房乾燥システムの第２の実施形態における制御系の要部を簡略的に示すブロック図である。
【図１０】図９の浴室暖房乾燥システムの乾燥運転の流れを示すフローチャートである。
【図１１】本発明に従う浴室暖房乾燥システムの第３の実施形態における制御系の要部を簡略的に示すブロック図である。
【図１２】図１１の浴室暖房乾燥システムの乾燥運転の流れを示すフローチャートである。
【図１３】給気調整手段の変形形態を示す部分断面図である。
【符号の説明】
２　ユニットバス
４　浴室
６　浴室暖房乾燥機
８，８Ａ　給気調整手段
１４　浴室開閉扉
２２　循環ファン
３４　熱交換器
３８　熱源機
４８　換気ファン
５６　リモコン
８４　給気ルーバ
８６　給気口
１０８，１０８Ａ，１０８Ｂ　制御手段
１１０　湿度センサ
１１２　温度センサ（第１湿度センサ）
１２６　回転数設定手段
１２８　給気開度設定手段
１４２　相対湿度演算手段
１４４　湿度差演算手段
１４６　第２湿度センサ
【図１】
2004132668.tif 000003
【図２】
2004132668.tif 000004
【図３】
2004132668.tif 000005
【図４】
2004132668.tif 000006
【図５】
2004132668.tif 000007
【図６】
2004132668.tif 000008
【図７】
2004132668.tif 000009
【図８】
2004132668.tif 000010
【図９】
2004132668.tif 000011
【図１０】
2004132668.tif 000012
【図１１】
2004132668.tif 000013
【図１２】
2004132668.tif 000014
【図１３】
2004132668.tif 000015